(57)【要約】【課題】リアクトル容量の変化を検出できるようにする。【解決手段】リアクトル（Ｌ）の電流量を検出する電流検出部（１２１）と、スイッチング素子（Ｓ１）のＯＮ又はＯＦＦ期間の中心タイミングとは異なるタイミングを含む複数のタイミングでそれぞれ電流検出部（１２１）にて得られる複数の検出値と、リアクトル（Ｌ）の容量が所定値である場合の前記検出値に関する基準値とに基づいて、リアクトル（Ｌ）の容量変化を検出する検出制御部（２０）と、を備える。【選択図】図４
2010279150.tif 000002
【特許請求の範囲】
【請求項１】
リアクトルとスイッチング素子とを備え、前記スイッチング素子の周期的なスイッチング制御によって前記リアクトルに流れる電流量を制御して入力電圧を所定の出力電圧に変換する電圧変換器に用いられる装置であって、
前記リアクトルの電流量を検出する電流検出部と、
前記スイッチング素子のＯＮ又はＯＦＦ期間の中心タイミングとは異なるタイミングを含む複数のタイミングでそれぞれ前記電流検出部にて得られる複数の検出値と、前記リアクトルの容量が所定値である場合の前記検出値に関する基準値とに基づいて、前記リアクトルの容量変化を検出する検出制御部と、
を備えた、リアクトルの容量変化を検出する装置。
【請求項２】
前記複数のタイミングは、前記スイッチング素子のスイッチングタイミングに依存するタイミングである、請求項１記載の装置。
【請求項３】
前記スイッチングタイミングに依存するタイミングは、
前記中心タイミング、及び、前記スイッチング素子のＯＦＦ又はＯＮ時のタイミング
である、請求項２記載の装置。
【請求項４】
前記検出制御部は、
前記第１及び第２のタイミングにおける各検出値の差分を求める差分検出部と、
前記差分検出部で得られた差分と、当該差分に関する基準値との間に一定以上の偏差がある場合に、前記容量変化があると判定する判定部と、
を備えた、請求項３記載の装置。
【請求項５】
前記スイッチングタイミングに依存するタイミングは、
前記スイッチング素子のＯＮ及びＯＦＦ時の各タイミングである、請求項２記載の装置。
【請求項６】
前記検出制御部は、
前記各タイミングにおける検出値の差分を求める差分検出部と、
前記差分検出部で得られた差分と、当該差分に関する基準値との間に一定以上の偏差がある場合に、前記容量変化があると判定する判定部と、
を備えた、請求項５記載の装置。
【請求項７】
前記複数のタイミングは、前記スイッチング素子のスイッチングタイミングに依存しないタイミングである、請求項１記載の装置。
【請求項８】
前記スイッチングタイミングに依存しないタイミングは、
前記検出値が最大値及び最小値をとる各タイミングである、請求項７記載の装置。
【請求項９】
前記検出制御部は、
前記各タイミングにおける検出値である最大値と最小値との差分を求める差分検出部と、
前記差分検出部で得られた差分と、当該差分に関する基準値との間に一定以上の偏差がある場合に、前記容量変化があると判定する判定部と、
を備えた、請求項８記載の装置。
【請求項１０】
前記スイッチングタイミングに依存しないタイミングは、
前記スイッチング素子のＯＮ期間又はＯＦＦ期間内の任意の複数タイミングである、請求項７記載の装置。
【請求項１１】
前記検出制御部は、
前記各タイミングにおける検出値から前記リアクトルの電流量の変化レートを求めるリアクトル電流変化レート検出部と、
前記リアクトル電流変化レート検出部で得られた変化レートと、当該変化レートに関する基準値との間に一定以上の偏差がある場合に、前記容量変化があると判定する判定部と、
を備えた、請求項１記載の装置。
【請求項１２】
前記スイッチングタイミングに依存しないタイミングは、
前記スイッチング素子のＯＮ期間及びＯＦＦ期間のいずれよりも短い時間間隔の任意の複数タイミングである、請求項７記載の装置。
【請求項１３】
前記検出制御部は、
前記各タイミングにおける検出値の最大値及び最小値のいずれか一方又は双方を検出する最大値／最小値検出部と、
前記最大値／最小値検出部による検出結果と、前記最大値／最小値検出部での検出対象に関する基準値との間に一定以上の偏差がある場合に、前記容量変化があると判定する判定部と、
を備えた、請求項１記載の装置。
【請求項１４】
前記検出制御部は、
前記容量変化があると判定すると、前記スイッチング素子をＯＦＦ制御する、請求項１〜１３のいずれか１項に記載の装置。
【請求項１５】
前記検出制御部は、
前記容量変化があると判定すると、前記スイッチング制御の周期を減少制御する、請求項１〜１３のいずれか１項に記載の装置。
【請求項１６】
前記電圧変換器は、昇圧型の直流電圧変換器である、請求項１〜１５のいずれか１項に記載の装置。
【請求項１７】
前記昇圧型の直流電圧変換器は、車両に搭載されており、かつ、当該車両に搭載された燃料電池の出力電圧を前記入力電圧とし、当該入力電圧を前記車両の駆動に用いられる前記出力電圧に昇圧する、請求項１６記載の装置。
【発明の詳細な説明】
【技術分野】
【０００１】
本発明は、リアクトルとスイッチング素子とを備えた電圧変換器に関わる技術に関する。
【背景技術】
【０００２】
電圧変換器として、直流（ＤＣ）電圧を昇圧及び／又は降圧するＤＣ−ＤＣコンバータが知られている。ＤＣ−ＤＣコンバータは、パーソナルコンピュータや、ＡＶ機器、携帯電話機、電源システム等の、電気回路を含む電気機器に幅広く用いられている。近年では、燃料電池自動車、電気自動車、ハイブリッド自動車等の車両の電源システムにＤＣ−ＤＣコンバータが用いられる例もある。
【先行技術文献】
【特許文献】
【０００３】
【特許文献１】国際公開第２００６／０９８３７６号
【発明の概要】
【発明が解決しようとする課題】
【０００４】
ＤＣ−ＤＣコンバータは、例えば、トランジスタ等のスイッチング素子、コイル（リアクトル）、コンデンサ、及びダイオード等を組み合わせて構成することができる。ここで、リアクトルは、経年劣化や製造不良等の要因により、その容量が所期値とは異なる値に変動することがある。仮に、リアクトルの容量が所期値よりも低下すると、リアクトルに流れる電流（以下、「リアクトル電流」と称することがある。）が増加する。
【０００５】
このようなリアクトル容量の変化は、例えばスイッチング素子に定格電流以上の過電流が流れ続ける等して、ＤＣ−ＤＣコンバータに用いられている素子に異常をきたす一因になり得る。
【０００６】
そこで、本発明の目的の一つは、リアクトル容量の変化を検出できるようにすることにある。また、当該変化に起因するリアクトル電流異常によって素子異常が発生することを回避できるようにすることも本発明の目的の一つである。
【０００７】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【０００８】
本発明の装置の一態様は、リアクトルとスイッチング素子とを備え、前記スイッチング素子の周期的なスイッチング制御によって前記リアクトルに流れる電流量を制御して入力電圧を所定の出力電圧に変換する電圧変換器に用いられる装置であって、前記リアクトルの電流量を検出する電流検出部と、前記スイッチング素子のＯＮ又はＯＦＦ期間の中心タイミングとは異なるタイミングを含む複数のタイミングでそれぞれ前記電流検出部にて得られる複数の検出値と、前記リアクトルの容量が所定値である場合の前記検出値に関する基準値とに基づいて、前記リアクトルの容量変化を検出する検出制御部と、を備える。
【０００９】
ここで、前記複数のタイミングは、前記スイッチング素子のスイッチングタイミングに依存するタイミングとしてもよい。
【００１０】
前記スイッチングタイミングに依存するタイミングは、前記中心タイミング、及び、前記スイッチング素子のＯＦＦ又はＯＮ時のタイミングとすることができる。
【００１１】
その場合、前記検出制御部は、前記第１及び第２のタイミングにおける各検出値の差分を求める差分検出部と、前記差分検出部で得られた差分と、当該差分に関する基準値との間に一定以上の偏差がある場合に、前記容量変化があると判定する判定部と、を備えてもよい。
【００１２】
また、前記スイッチングタイミングに依存するタイミングは、前記スイッチング素子のＯＮ及びＯＦＦ時の各タイミングとしてもよい。
【００１３】
その場合、前記検出制御部は、前記各タイミングにおける検出値の差分を求める差分検出部と、前記差分検出部で得られた差分と、当該差分に関する基準値との間に一定以上の偏差がある場合に、前記容量変化があると判定する判定部と、を備えてもよい。
【００１４】
さらに、前記複数のタイミングは、前記スイッチング素子のスイッチングタイミングに依存しないタイミングとしてもよい。
【００１５】
前記スイッチングタイミングに依存しないタイミングは、前記検出値が最大値及び最小値をとる各タイミングとすることができる。
【００１６】
その場合、前記検出制御部は、前記各タイミングにおける検出値である最大値と最小値との差分を求める差分検出部と、前記差分検出部で得られた差分と、当該差分に関する基準値との間に一定以上の偏差がある場合に、前記容量変化があると判定する判定部と、を備えてもよい。
【００１７】
また、前記スイッチングタイミングに依存しないタイミングは、前記スイッチング素子のＯＮ期間又はＯＦＦ期間内の任意の複数タイミングとしてもよい。
【００１８】
その場合、前記検出制御部は、前記各タイミングにおける検出値から前記リアクトルの電流量の変化レートを求めるリアクトル電流変化レート検出部と、前記リアクトル電流変化レート検出部で得られた変化レートと、当該変化レートに関する基準値との間に一定以上の偏差がある場合に、前記容量変化があると判定する判定部と、を備えてもよい。
【００１９】
さらに、前記スイッチングタイミングに依存しないタイミングは、前記スイッチング素子のＯＮ期間及びＯＦＦ期間のいずれよりも短い周期の任意の複数タイミングとしてもよい。
【００２０】
その場合、前記検出制御部は、前記各タイミングにおける検出値の最大値及び最小値のいずれか一方又は双方を検出する最大値／最小値検出部と、前記最大値／最小値検出部による検出結果と、前記最大値／最小値検出部での検出対象に関する基準値との間に一定以上の偏差がある場合に、前記容量変化があると判定する判定部と、を備えてもよい。
【００２１】
また、前記検出制御部は、前記容量変化があると判定すると、前記スイッチング素子をＯＦＦ制御してもよいし、前記スイッチング制御の周期を減少制御してもよい。
【００２２】
なお、前記電圧変換器は、昇圧型の直流電圧変換器であってもよく、前記昇圧型の直流電圧変換器は、車両に搭載されており、かつ、当該車両に搭載された燃料電池の出力電圧を前記入力電圧とし、当該入力電圧を前記車両の駆動に用いられる前記出力電圧に昇圧する、こととしてもよい。
【発明の効果】
【００２３】
本発明によれば、リアクトル容量の変化を検出できる。ひいては、リアクトル電流異常による素子異常の発生を回避できる。
【図面の簡単な説明】
【００２４】
【図１】一実施形態に係る電源システム及び当該電源システムを搭載した車両の構成例を模式的に示す図である。
【図２】図１に例示するＦＣ昇圧コンバータの電気回路の一例を示す図である。
【図３】図２に示すリアクトルを流れる電流の時間波形の一例を模式的に示す図である。
【図４】図２に示すリアクトルの容量変化を検出する第１の方法に対応する検出回路例を示す図である。
【図５】図２に示すリアクトルの容量変化を検出する第２の方法に対応する検出回路例を示す図である。
【図６】図２に示すリアクトルの容量変化を検出する第３の方法に対応する検出回路例を示す図である。
【図７】図２に示すリアクトルの容量変化を検出する第４の方法に対応する検出回路例を示す図である。
【図８】図２に示すリアクトルの容量変化を検出する第５の方法に対応する検出回路例を示す図である。
【図９】図２に示すリアクトルを流れる電流の時間波形の一例を模式的に示す図である。
【図１０】キャリア周波数を２倍にした場合にリアクトルに流れる電流の時間波形の一例を模式的に示す図である。
【図１１】降圧コンバータの電気回路の一例を示す図である。
【発明を実施するための形態】
【００２５】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２６】
〔１〕一実施形態
図１は、一実施形態に係る電源システム１０及び当該電源システム１０を搭載した車両１の構成例を模式的に示す図である。
【００２７】
電源システム１０は、例示的に、燃料電池（ＦＣ）１１を有する燃料電池システムであり、車両１は、燃料電池システム１０を駆動電力の供給源とする電気機器の一例としての燃料電池自動車である。ただし、車両１は、電気自動車やハイブリッド自動車であってもよい。
【００２８】
車両１は、駆動輪２を駆動するモータ１６や、電子制御ユニット（ＥＣＵ）２０、アクセルペダルの開度を検出するアクセルペダルセンサ２１等を備える。アクセルペダルセンサ２１は、電子制御ユニット２０に電気的に接続されており、例えば、検出したアクセスペダルの開度に応じてモータ１６（駆動輪２）の回転速度がＥＣＵ２０によって制御される。
【００２９】
燃料電池システム１０は、前記燃料電池（ＦＣ）１１のほか、非限定的な一例として、ＦＣ昇圧コンバータ１２、バッテリ１３、バッテリ昇圧コンバータ１４、インバータ１５等を備える。
【００３０】
ＦＣ１１は、電気化学反応を利用して発電する装置である。ＦＣ１１には、固体高分子型、燐酸型、溶融炭酸塩型、固体酸化物型、アルカリ電解質型等の種々のタイプの燃料電池が適用可能である。ＦＣ１１が発電した電力は、車両１の駆動輪２を駆動するモータ１６の駆動電力や、バッテリ１３の充電に用いられる。
【００３１】
バッテリ１３は、充放電可能な二次電池であり、リチウムイオン、ニッケル水素、ニッケルカドミウム等の種々のタイプの二次電池を適用可能である。バッテリ１３は、車両１やＦＣ１１の運転時に使用される種々の電気機器に電力を供給することができる。ここでいう電気機器には、例えば、車両１の照明機器、空調機器、油圧ポンプ、ＦＣ１１の燃料ガスや改質原料を供給するポンプ、改質器の温度を調整するヒータ等が含まれる。
【００３２】
これらのＦＣ１１及びバッテリ１３は、図１に例示するように、インバータ１５に対して電気的に並列に接続されている。ＦＣ１１からインバータ１５に至る電気経路には、ＦＣ昇圧コンバータ１２が設けられている。ＦＣ昇圧コンバータ１２は、入力ＤＣ電圧を昇圧するＤＣ−ＤＣコンバータであり、ＦＣ１１で発生したＤＣ電圧を変換可能な範囲で所定のＤＣ電圧に変換（例えば昇圧）して、インバータ１５に印加することができる。このような昇圧動作により、ＦＣ１１の出力電力が低くても、モータ１６の駆動に要する駆動電力を確保することが可能となる。
【００３３】
一方、バッテリ１３からインバータ１５に至る電気経路には、バッテリ昇圧コンバータ１４が、ＦＣ昇圧コンバータ１２とインバータ１５との間の電気経路に対して並列に接続されている。当該コンバータ１４も、ＤＣ−ＤＣコンバータであり、バッテリ１３又はインバータ１５から印加されたＤＣ電圧を変換可能な範囲で所定のＤＣ電圧に変換することができる。
【００３４】
コンバータ１４には、昇圧及び降圧の双方が可能な昇降圧型のコンバータを適用でき、例えば、バッテリ１３からの入力ＤＣ電圧を制御（昇圧）してインバータ１５側に出力する一方、ＦＣ１１又はモータ１６からの入力ＤＣ電圧を制御（降圧）してバッテリ１３に出力することが可能である。これにより、バッテリ１３の充放電が可能となる。
【００３５】
また、コンバータ１４は、出力電圧が制御されることで、インバータ１５の端子電圧を制御することが可能である。当該制御は、インバータ１５に対して並列に接続された各電源（ＦＣ１１及びバッテリ１３）の相対的な出力電圧差を制御して、両者の電力を適切に使い分けることを可能にする。
【００３６】
インバータ１５は、ＦＣ１１からコンバータ１２を介して、また、バッテリ１３からコンバータ１４を介して、ＤＣ電圧の入力を受け、当該入力ＤＣ電圧を交流（ＡＣ）電圧に変換し、これをモータ１６の駆動電圧として供給する。その際、ＥＣＵ２０は、要求動力に応じたＡＣ電圧がモータ１６に供給されるよう、インバータ１５の動作（スイッチング）を制御する。
【００３７】
ＥＣＵ２０は、既述の制御のほか、車両１及び燃料電池システム１０の動作（運転）を統括的に制御する。ＥＣＵ２０は、例示的に、演算処理装置の一例としてのＣＰＵ、記憶装置の一例としてのＲＡＭ、ＲＯＭ等を備えたマイクロコンピュータとして実現できる。ＥＣＵ２０は、モータ１６や燃料電池システム１０の各要素、種々のセンサ群と電気的に接続され、各種センサ値の受信、演算処理、指令（制御信号）の送信等を適宜に実施する。センサ群には、アクセルペダルセンサ２１のほか、例示的に、バッテリ１３の充電状態（ＳＯＣ：State Of Charge）を検出するＳＯＣセンサ、車速（モータ１６の回転数）を検出する車速センサ、図４〜図８により後述する電流センサ１２１等が含まれ得る。
【００３８】
〔２〕昇圧コンバータ１２
次に、昇圧コンバータ１２の電気回路図の一例を図２に示す。図２に示す昇圧コンバータ１２は、例示的に、リアクトル（コイル）Ｌと、出力ダイオードＤ１と、コンデンサＣ１及びＣ２と、ダイオードＤ２及びスイッチング素子Ｓ１を有するスイッチ回路ＳＷと、を備える。
【００３９】
スイッチング素子Ｓ１には、非限定的な一例として、絶縁ゲートバイポーラトランジスタ（ＩＧＢＴ）を適用可能である。
【００４０】
リアクトルＬは、一端が直流電源（ＦＣ１１）の正極に直列に接続されるとともに、他端が出力ダイオードＤ１のアノードに直列に接続されている。なお、図２において、電源電圧（ＦＣ１１の出力電圧）は、ＶＬで表わしている。
【００４１】
リアクトルＬとＦＣ１１との間には、コンデンサＣ１の一端が接続され、当該コンデンサＣ１の他端は、ＦＣ１１の負極に接続されており、ＦＣの出力電圧ＶＬが両端に印加される。コンデンサＣ１は、ＦＣ１１の出力電流を平滑化してリプルを低減する入力平滑コンデンサとして機能する。
【００４２】
リアクトルＬとダイオードＤ１との間には、スイッチング素子Ｓ１のコレクタが接続され、スイッチング素子Ｓ１のエミッタは、ＦＣ１１の負極に接続されている。また、スイッチング素子Ｓ１のコレクタには、ダイオードＤ２のカソードが接続され、スイッチング素子Ｓ１のエミッタには、ダイオードＤ２のアノードが接続されている。
【００４３】
ダイオードＤ１のカソードには、コンデンサＣ２の一端が接続され、当該コンデンサＣ２の他端は、ＦＣ１１の負極に接続されている。コンデンサＣ２は、ダイオードＤ１からインバータ１５を介してモータ１６へ供給される出力電流を平滑化してリプルを低減する出力平滑コンデンサとして機能する。当該コンデンサＣ２の両端電圧（ＶＨ）が、昇圧後の電圧である。
【００４４】
スイッチング素子Ｓ１は、そのゲート電圧が例えばＥＣＵ２０から周期的にＯＮ／ＯＦＦ制御される。スイッチングの周期（キャリア周波数）は、非限定的な一例として、１００ｍｓ（１０ｋＨｚ）程度である。
【００４５】
スイッチング素子Ｓ１がＯＮの期間、ＦＣ１１の出力電流は、リアクトルＬ及びスイッチング素子Ｓ１を経由してＦＣ１１の負極へ還流し、リアクトルＬに電気エネルギーが蓄積される。一方、スイッチング素子Ｓ１がＯＦＦの期間では、それまでにリアクトルＬに蓄積された電気エネルギーがＦＣ１１の出力電圧に重畳されて出力ダイオードＤ１経由で出力される。このようにしてコンバータ１２は、昇圧動作を実施する。
【００４６】
図３に、昇圧動作時のリアクトル電流の時間変化の一例を示す。図３に実線１００で示すように、リアクトル電流は、スイッチング素子Ｓ１のＯＮ／ＯＦＦ制御に応じて、線形的な増減（電気エネルギーの蓄積及び解放）を交互に繰り返す。すなわち、スイッチング素子Ｓ１がＯＮの期間において、リアクトル電流は線形的に徐々に増加し、スイッチング素子Ｓ１がＯＦＦの期間において、リアクトル電流は線形的に徐々に減少する。
【００４７】
スイッチング周期の１周期においてＯＮ時間が占める割合を「デューティ（Duty）比」あるいは単に「デューティ」という。例えば、スイッチング素子Ｓ１のＯＮ時間をＴON、ＯＦＦ時間をＴOFFでそれぞれ表わすと、デューティＤは、Ｄ＝ＴON／（ＴON＋ＴOFF）で表わすことができる。
【００４８】
ＥＣＵ２０は、スイッチング素子Ｓ１のゲートに与える制御信号のパルスパターン（デューティＤ）を制御することで、スイッチング周期における平均的なリアクトル電流量、ひいては、リアクトルＬの平均的な蓄積及び解放エネルギー量を制御できる。当該制御によって、コンバータ１２の昇圧比、すなわち、ＦＣ１１の出力電圧ＶＬに対する、インバータ１５に印加されるコンバータ１２の出力電圧ＶＨ、ひいては負荷（例えばモータ１６）への平均的な供給電力を制御できる。
【００４９】
〔３〕リアクトル容量変化検出
当該制御は、例えば、スイッチング周期の１周期における平均的なリアクトル電流量をモニタしながら、要求される出力電圧（昇圧比）に応じて実施することができる。リアクトル電流のモニタには、例えば電流センサを用いることができる。
【００５０】
ここで、図３に例示したように、リアクトル電流はスイッチング素子Ｓ１のＯＮ／ＯＦＦに応じて線形的に増減を繰り返す三角波形（実線１００参照）となるから、スイッチング周期の１周期あたりの平均リアクトル電流量（図３の点線３００参照）は、スイッチング素子Ｓ１のＯＮ期間（又はＯＦＦ期間）の中心タイミングにおけるリアクトル電流量として等価的に扱うことができる。したがって、ＥＣＵ２０は、各スイッチング周期において当該中心タイミングで得られる電流センサのセンサ値をリアクトル電流量の平均値として前記リアクトル電流制御に用いることができる。
【００５１】
さてここで、リアクトルＬのインダクタンス値（リアクトル容量）が、経年変化等に起因して変化（仮に減少）した場合、リアクトル電流の振幅（増減幅）は、例えば図３中に点線２００で示すように、変化前よりも大きくなる傾向にある。
【００５２】
既述のように、このような振幅増大は、スイッチング素子Ｓ１に定格電流を超える電流が流れて、素子異常をきたす要因となり得る。しかし、上述のようなスイッチング素子Ｓ１のＯＮ期間（又はＯＦＦ期間）の中心タイミングでのモニタ（平均値モニタ）では、リアクトル容量に変化があっても中心タイミングでのリアクトル電流量は変化しないか変化しても誤差範囲程度の微小な変化である。そのため、リアクトル容量の低下、ひいてはリアクトル電流異常を検出できない。
【００５３】
そこで、本例では、スイッチング素子Ｓ１のＯＮ期間又はＯＦＦ期間の中心タイミングとは異なるタイミングを含む複数のタイミングでのリアクトル電流量に基づいて、リアクトル容量の変化（リアクトル電流異常）を検出できるようにする。ひいては、スイッチング素子Ｓ１等の素子異常の発生を回避できるようにする。
【００５４】
ここで、リアクトル電流のサンプリングタイミング（周期）は、スイッチング素子Ｓ１のスイッチングパターン（タイミング）に依存するタイミングに設定してもよいし、依存しないタイミングに設定してもよい。
【００５５】
前者の場合は、スイッチング素子Ｓ１のスイッチングタイミングに同期したタイミングでサンプリングを行なえばよいから、サンプリングに関わる処理の簡易化を図ることができる。また、前者における各サンプリングタイミングは、同一スイッチング周期内に設定してもよいし、異なるスイッチング周期に設定してもよい。換言すれば、サンプリングタイミングは、適宜に変更可能である。例えば、ＥＣＵ２０は、他の制御との関係で処理負荷が相対的に高いスイッチング周期ではサンプリングを見送って、当該スイッチング周期以降の都合の良いタイミングにサンプリングタイミングを設定することも可能である。
【００５６】
一方、後者の場合は、スイッチング素子Ｓ１のスイッチングタイミングに非同期のタイミングでサンプリングを行なえるから、例えばＥＣＵ２０は、処理負荷が相対的に高いタイミングを避けてサンプリングタイミングをスケジューリングする等、ＥＣＵ２０の処理の都合に応じてサンプリングタイミングを柔軟に設定することが可能である。
【００５７】
スイッチングタイミングに依存するタイミングの例としては、（１）スイッチング素子Ｓ１のＯＮ（又はＯＦＦ）期間の中心タイミング及びスイッチング素子Ｓ１がＯＦＦ（ＯＮ）となった時のタイミング、（２）スイッチング素子Ｓ１がＯＮ及びＯＦＦとなった時の各タイミングが挙げられる。
【００５８】
一方、スイッチングタイミングに依存しないタイミングの例としては、（３）リアクトル電流が最大値及び最小値をとった時の各タイミング、（４）リアクトル電流の変化レート（傾き）を求めるのに足りるタイミング、（５）任意のタイミングが挙げられる。
【００５９】
以上の（１）〜（５）に基づく検出方法の具体例として、それぞれ下記の第１〜第５の方法を例示する。なお、以下に例示する方法は、バッテリ昇圧コンバータ１４に適用することも可能である。また、いずれか複数を相補的に組み合わせて実施してもよい。
【００６０】
（第１の方法）スイッチング素子Ｓ１のＯＮ（又はＯＦＦ）期間の中心タイミングでサンプリングしたリアクトル電流量（平均値）と、その後にスイッチング素子Ｓ１がＯＦＦ（ＯＮ）になった時にサンプリングしたリアクトル電流量との差分が、所定の基準値に対して一定以上の偏差をもつ場合に、リアクトルの容量変化（又はリアクトル電流）が異常（以下、「リアクトル異常」ともいう。）であると判定する。なお、スイッチング素子Ｓ１がＯＦＦ（ＯＮ）になったタイミングは、前記中心タイミングとは異なるタイミングの一例であり、図３に例示したように、理論的には、リアクトル電流量が最大値（最小値）をとるタイミングに相当する。
【００６１】
（第２の方法）スイッチング素子Ｓ１がＯＮ及びＯＦＦになった時にそれぞれサンプリングしたリアクトル電流量の差分が、所定の基準値に対して一定以上の偏差をもつ場合にリアクトル異常と判定する。
【００６２】
（第３の方法）リアクトル電流のピーク（最大値）及びボトム（最小値）をそれぞれ検出し、検出したピーク−ボトム間の差分が、所定の基準値に対して一定以上の偏差をもつ場合にリアクトル異常と判定する。
【００６３】
（第４の方法）一定期間、例えばスイッチング素子Ｓ１のＯＮ（又はＯＦＦ）の期間に複数のタイミングでサンプリングしたリアクトル電流量を基にその変化レート（傾き）を求め、当該変化レートが、所定の基準値に対して一定以上の偏差をもつ場合にリアクトル異常と判定する。
【００６４】
（第５の方法）スイッチング素子Ｓ１のスイッチング周期よりも短い周期、好ましくはスイッチング素子Ｓ１のＯＮ期間及びＯＦＦ期間のいずれよりも短い周期でリアクトル電流量を複数サンプリングし、ソフトウェア処理で各サンプリング値をピーク及び／又はボトムホールドする。ホールドした値と、所定の基準値との間に一定以上の偏差がある場合にリアクトル異常と判定する。
【００６５】
上記のいずれの方法においても、リアクトル異常が検出された場合、例えば、ＥＣＵ２０は、スイッチング素子Ｓ１をＯＦＦ制御する。これにより、スイッチング素子Ｓ１に定格電流を超える過電流が流れ続けることを防止して、素子異常の発生を回避することが可能となる。
【００６６】
以下に、各方法に対応した検出回路（検出装置）の具体例をそれぞれ図４〜図８に示す。なお、図４〜図８において、同一符号を付した要素は、特に断らない限り、同一又は同様の要素を表わす。
【００６７】
（３．１）第１の方法
図４に示す検出回路３０Ａは、例示的に、リアクトルＬのＦＣ１１側の電気経路に設けられた電流センサ１２１と、ピークホールド回路２２と、ＥＣＵ２０とを備える。電流センサ１２１及びピークホールド回路２２の各出力は既述のＥＣＵ２０に電気的に接続されている。
【００６８】
電流センサ１２１は、リアクトルＬに流れる電流量を検出する電流検出部の一例である。電流センサ１２１には、例示的に、磁気比例式のセンサを適用可能である。磁気比例式の電流センサは、測定すべき電流が導体を流れた時の磁界を測定することにより、電流の大きさを間接的に測定する。例えば、電流に応じた磁界をホール素子により電圧信号に変換し、その出力電圧を増幅回路にて増幅し、電流に応じた出力電圧をセンサ値として出力する。
【００６９】
ＥＣＵ２０は、電流センサ１２１で検出されたリアクトル電流と、リアクトルＬの容量が所定値（例えば定格値）である場合のリアクトル電流に関する基準値とに基づいて、リアクトルＬの容量変化を検出する検出制御部の一例として機能する。そのため、ＥＣＵ２０は、例示的に、リアクトル電流平均値検出部２０１、差分検出部２０２、及び比較・判定部２０３としての機能を具備する。
【００７０】
ピークホールド回路２２は、電流センサ１２１と電気的に接続されて、電流センサ１２１でリアルタイムに検出される、リアクトル電流量に応じた電圧のピーク値（最大値）を保持する。当該ピーク値が保持されるタイミングは、スイッチング素子Ｓ１のＯＮ期間の中心タイミングとは異なるタイミングの一例であり、理論的には、スイッチング素子Ｓ１がＯＦＦとなった時のタイミングに相当する。なお、ピークホールド回路２２に代えて、ボトムホールド回路を設けて、リアクトル電流量のボトム値を保持してもよい。ボトム値は、スイッチング素子Ｓ１がＯＮとなった時のタイミングに相当する。
【００７１】
リアクトル電流平均値検出部２０１は、ＥＣＵ２０がスイッチング素子Ｓ１にＯＮ（又はＯＦＦ）の制御信号を与えている期間の中心タイミングで電流センサ１２１から入力されるセンサ値をリアクトル電流の平均値として検出する。この平均値は、既述のリアクトル電流制御にも用いられる。換言すれば、当該検出部２０１は、既述のリアクトル電流制御に用いることを目的としてＥＣＵ２０に本来的に備えられているものを流用できる。したがって、ＥＣＵ２０の最小限の機能改変で本方法をサポートすることが可能である。
【００７２】
差分検出部２０２は、リアクトル電流平均値検出部２０１で得られたリアクトル電流値（平均値）と、ＥＣＵ２０がスイッチング素子Ｓ１にＯＦＦの制御信号を与えた時に相当するタイミングでピークホールド回路２２に保持されているリアクトル電流値との差分を求める。
【００７３】
比較・判定部２０３は、差分検出部２０２によって得られた差分と当該差分に関する所定の基準値（後述）とを比較して、差分と基準値との間に一定以上の偏差があれば、リアクトル異常と判定し、そうでなければ、正常と判定する。なお、リアクトル異常判定は、前記偏差のある状態が所定時間継続した場合に行なうようにしてもよい。この点は、下記の他の方法においても同様である。
【００７４】
なお、比較・判定部２０３による判定結果は、例えばＥＣＵ２０から車両１の運転者や保守者に提示することができる。提示態様の一例としては、車両１に設けられた所定の警報ランプの点灯や、車両１に設けられたスピーカからの音声出力等が挙げられる（以降において、同様）。
【００７５】
（判定基準値）
ここで、リアクトル電流の振幅は、以下の式（１）で求めることができる。
【数１】
2010279150.tif 000003
ただし、ＶＬは電源電圧、Ｄはデューティ、ｆはキャリア周波数（スイッチング周波数）、Ｌ０はリアクトルＬのインダクタンス値をそれぞれ表わす。電源電圧ＶＬには、電圧センサ（図示省略）による実測値を用いることができる。デューティＤ及びキャリア周波数ｆは、それぞれＥＣＵ２０の指令値としてＥＣＵ２０において既知の値であり、インダクタンス値Ｌ０は既知の設計値である。
【００７６】
ＥＣＵ２０は、式（１）により求められる振幅を、正常時のリアクトル電流（基準値）として比較・判定部２０３での判定に用いることができる。すなわち、Ｌ０が低下すると、差分検出部２０２で求められた前記差分が式（１）で表わされる基準値よりも大きな値となるため、比較・判定部２０３は、両者の偏差が一定以上あれば異常と判定することができる。
【００７７】
（その他）
なお、Ｌ０が増加した場合は、前記差分が式（１）で表わされる基準値よりも小さな値となる。ＥＣＵ２０は、両者の偏差が一定以上あればリアクトル容量の増加に起因する異常と判定することもできる。リアクトル容量が増加する要因の一例としては、リアクトルＬの製造不良等が挙げられる。基準値は、ＥＣＵ２０内のＲＡＭ等のメモリに記憶しておくことができる。また、比較・判定部２０３でリアクトル異常（又は正常）と判定する偏差の範囲は、誤差範囲内の基準値からのずれを許容するように設定することができる。これらの「その他」に例示した事項は、下記の説明する他の方法においても当てはめることができる。
【００７８】
（３．２）第２の方法
図５に示す検出回路３０Ｂは、例示的に、リアクトルＬのＦＣ１１側の電気経路に設けられた電流センサ１２１と、電流センサ１２１に電気的に接続されたＥＣＵ２０とを備える。また、ＥＣＵ２０は、例示的に、サンプリング処理部２１１、差分検出部２１２、及び比較・判定部２１３としての機能を具備する。
【００７９】
サンプリング処理部２１１は、ＥＣＵ２０がスイッチング素子Ｓ１に対してＯＮ及びＯＦＦの制御信号をそれぞれ与えた時に電流センサ１２１から入力されるセンサ値をサンプリングする。各サンプリング値は、理論的には、リアクトル電流のピーク値（最大値）及びボトム値（最小値）に相当する。
【００８０】
差分検出部２１２は、サンプリング処理部２１１でサンプリングされた各センサ値の差分（つまりは、ピークとボトムとの差分）を求める。
【００８１】
比較・判定部２１３は、差分検出部２１２にて求められた差分と当該差分に関する所定の基準値とを比較して、両者に一定以上の偏差がある場合に、リアクトル容量低下に起因するリアクトル異常と判定し、そうでなければ、正常と判定する。なお、本方法における基準値も前記の式（１）を基に得ることができる。
【００８２】
以上のように、本方法によれば、スイッチング素子Ｓ１のＯＮ時及びＯＦＦ時のリアクトル電流値の差分を基に、リアクトル異常の有無を判定し、異常と判定した場合に、スイッチング素子Ｓ１をＯＦＦ制御することができる。したがって、スイッチング素子Ｓ１に定格電流を超える過電流が流れ続けて素子不良が生じることを防止できる。
【００８３】
（３．３）第３の方法
図６に示す検出回路３０Ｃは、例示的に、リアクトルＬのＦＣ１１側の電気経路に設けられた電流センサ１２１と、電流センサ１２１と電気的に接続されたピークホールド回路２２及びボトムホールド回路２３と、ＥＣＵ２０とを備える。また、ＥＣＵ２０は、例示的に、差分検出部２２２及び比較・判定部２２３としての機能を具備する。
【００８４】
ピークホールド回路２２は、電流センサ１２１から入力されるセンサ値のピーク値（最大値）を保持する。ボトムホールド回路２３は、電流センサ１２１から入力されるセンサ値のボトム値（最小値）を保持する。これらは、リアクトル電流の複数のサンプリングタイミングが、電流センサ１２１のセンサ値が最大値及び最小値をとる各タイミングであることに相当する。換言すれば、各回路２２及び２３によるセンサ値の保持タイミングは、いずれも、ＥＣＵ２０がスイッチング素子Ｓ１に与える制御信号（つまりはスイッチングタイミング）に依存しない。
【００８５】
差分検出部２２２は、ピークホールド回路２２で保持されているピーク値と、ボトムホールド回路２３で保持されているボトム値との差分を求める。
【００８６】
比較・判定部２２３は、差分検出部２２２で求められた差分と、当該差分に関する所定の基準値とを比較して、両者に一定以上の偏差があれば、リアクトル容量低下に起因するリアクトル異常と判定し、そうでなければ、正常と判定する。
【００８７】
以上のように、本方法によれば、リアクトル電流の実際のピーク値とボトム値とをサンプリングして、両者の差分を基に、リアクトル異常の有無を判定することができる。したがって、既述の第２の方法に比して、リアクトル電流のピーク値とボトム値とを精度良く検出でき、リアクトル容量変化の検出精度を向上することができる。その結果、スイッチング素子Ｓ１の素子不良をより確実に防止することができる。
【００８８】
また、本方法では、リアクトル電流（電流センサ１２１のセンサ値）のサンプリングタイミングが、スイッチング素子Ｓ１のスイッチングタイミングに依存しないから、ＥＣＵ２０は、他の制御等の処理との関係で都合の悪いタイミング、例えば処理負荷が相対的に高いタイミングを避けてサンプリングタイミングをスケジューリングすることができる。したがって、検出、判定処理を効率的に実施できる。
【００８９】
（３．４）第４の方法
図７に示す検出回路３０Ｄは、例示的に、リアクトルＬのＦＣ１１側の電気経路に設けられた電流センサ１２１と、電流センサ１２１に電気的に接続されたＥＣＵ２０とを備える。また、ＥＣＵ２０は、例示的に、サンプリング処理部２３１、リアクトル電流変化レート検出部２３２、及び比較・判定部２３３としての機能を具備する。
【００９０】
サンプリング処理部２３１は、電流センサ１２１から入力されるセンサ値を周期的にサンプリングする。サンプリングタイミングは、スイッチング素子Ｓ１のスイッチング周期よりも短い時間間隔とすることができる。好ましくは、スイッチング周期の１周期におけるＯＮ時間又はＯＦＦ時間よりも短い時間間隔に設定することで、スイッチング素子Ｓ１のＯＮ時間又はＯＦＦ時間におけるセンサ値の変化レートを効率的に得ることができる。
【００９１】
リアクトル電流変化レート検出部２３２は、サンプリング処理部２３１でサンプリングされたセンサ値を基に、スイッチング素子Ｓ１がＯＮの期間又はＯＦＦの期間におけるリアクトル電流の変化レート（傾き）を求める。
【００９２】
そして、比較・判定部２３３は、リアクトル電流変化レート検出部２３２で求められた変化レート（例えば絶対値）と、当該変化レートに関する所定の基準値とを比較して、両者に一定以上の偏差がある場合に、リアクトル容量低下に起因するリアクトル異常と判定し、そうでなければ、正常と判定する。本例での基準値は、次式（２）又は（３）により与えることができる。
【数２】
2010279150.tif 000004
なお、式（２）はスイッチング素子Ｓ１がＯＮの期間の変化レートの基準値、式（３）はスイッチング素子Ｓ１がＯＦＦの期間の変化レートの基準値をそれぞれ表す。
【００９３】
以上のように、本方法によれば、リアクトル電流の変化レートを基に、リアクトル異常の有無を判定し、異常の場合にスイッチング素子Ｓ１をＯＦＦ制御することができる。したがって、スイッチング素子Ｓ１に定格電流を超える過電流が流れ続けて素子不良が生じることを防止できる。
【００９４】
（第５の方法）
図８に示す検出回路３０Ｅは、例示的に、リアクトルＬのＦＣ１１側の電気経路に設けられた電流センサ１２１と、電流センサ１２１に電気的に接続されたＥＣＵ２０とを備える。また、ＥＣＵ２０は、例示的に、サンプリング処理部２４１、ピーク／ボトムホールド処理部２４２、及び比較・判定部２４３としての機能を具備する。
【００９５】
サンプリング処理部２４１は、電流センサ１２１によって得られるセンサ値を、周期的にサンプリングする。サンプリングタイミングは、スイッチング素子Ｓ１のＯＮ期間及びＯＦＦ期間のいずれよりも短い時間間隔の任意のタイミングとすることができ、ＥＣＵ２０の処理能力との関係で許容される範囲で短くすることができる。サンプリング周期を短く設定するほど、比較・判定部２４３での判定精度を向上できる。
【００９６】
ピーク／ボトムホールド処理部２４２は、サンプリング処理部２４１でサンプリングされた電流センサ値のピーク値及びボトム値のいずれか一方又は双方を保持する。
【００９７】
そして、比較・判定部２４３は、ピーク／ボトムホールド処理部２４２で保持されたセンサ値（例えば絶対値）と、当該センサ値に関する所定の基準値とを比較して、両者に一定以上の偏差がある場合に、リアクトル容量低下に起因するリアクトル異常と判定し、そうでなければ正常と判定する。なお、ピーク値及びボトム値の双方をピーク／ボトムホールド処理部２４２で保持する場合、比較・判定部２４３は、いずれか一方がその基準値に対して一定以上の偏差がある場合に異常と判定してもよいし、双方が対応する基準値に対してそれぞれ一定以上の偏差がある場合に異常と判定してもよい。
【００９８】
以上のように、本方法によれば、ＥＣＵ２０においてソフトウェア的にリアクトル電流のピーク及び／又はボトム値を検出し、検出値に対応する基準値に対して一定以上の偏差がある場合にリアクトル異常と判定して、異常の場合にスイッチング素子Ｓ１をＯＦＦ制御することができる。したがって、ハードウェア的な改変を加えずに、スイッチング素子Ｓ１に定格電流を超える過電流が流れ続けて素子不良が生じることを防止できる。
【００９９】
（異常判定時のスイッチング周期制御）
リアクトル容量が低下すると、例えば図９に模式的に示すように、リアクトル電流の振幅が大きくなるため、スイッチング素子Ｓ１の定格電流（一点鎖線４００参照）を超えてしまうおそれがある。ここで、リアクトル電流の振幅は、前記式（１）から分かるように、キャリア周波数ｆを大きくすると、小さくなる関係にある。例えば図１０に模式的に示すように、キャリア周波数ｆを２倍にすると、平均電流は変わらないが、リアクトル電流の振幅は１／２にすることができる。
【０１００】
そこで、既述のようにリアクトル容量低下に起因するリアクトル電流の異常（振幅増大）が検出された場合、ＥＣＵ２０は、スイッチング素子Ｓ１をＯＦＦ制御する代わりに、スイッチング素子Ｓ１のキャリア周波数を増加制御（スイッチング周期を減少制御）してもよい。これにより、リアクトル電流の振幅が低減され、スイッチング素子Ｓ１に定格電流を超える過電流が流れることを回避することが可能となる。
【０１０１】
なお、リアクトル容量増加に起因するリアクトル電流の異常（振幅減少）が検出された場合、ＥＣＵ２０は、スイッチング素子Ｓ１のキャリア周波数を維持又は減少制御することができる。また、ＥＣＵ２０は、キャリア周波数の増加又は減少制御と併せて、リアクトル異常の旨をユーザに提示する処理を実施してもよい。
【０１０２】
〔４〕降圧コンバータの場合
上述したリアクトル異常の検出方法は、降圧コンバータに適用することも可能である。降圧コンバータの電気回路の一例を図１１に示す。図１１に示す降圧コンバータ４０は、例示的に、直流電源Ｅと、リアクトルＬと、ダイオードＤ３と、コンデンサＣ３及びＣ４と、ダイオードＤ４及びスイッチング素子Ｓ２を有するスイッチ回路ＳＷと、を備える。スイッチング素子Ｓ１には、非限定的な一例として、絶縁ゲートバイポーラトランジスタ（ＩＧＢＴ）を適用可能である。
【０１０３】
降圧コンバータ４０は、図２に例示した昇圧コンバータ１２に比して、リアクトルＬ、スイッチング素子（Ｓ１とＳ２）及びダイオード（Ｄ１とＤ３）の配置位置が異なる。
【０１０４】
直流電源Ｅの正極には、スイッチング素子Ｓ２及びリアクトルＬが直列に接続されている。直流電源Ｅの正極とスイッチング素子Ｓ２のコレクタとの間には、コンデンサＣ３の一端が接続され、当該コンデンサＣ３の他端は、直流電源Ｅの負極に接続されており、直流電源Ｅの出力電圧ＶＨが両端に印加される。コンデンサＣ３は、直流電源Ｅの出力電流を平滑化してリプルを低減する入力平滑コンデンサとして機能する。
【０１０５】
スイッチング素子Ｓ２のエミッタとリアクトルＬとの間には、ダイオードＤ３のカソードが接続され、当該ダイオードＤ３のアノードは、直流電源Ｅの負極に接続されている。また、スイッチング素子Ｓ１のコレクタ及びエミッタ間には、ダイオードＤ２が並列に接続されている。
【０１０６】
リアクトルＬの出力側には、コンデンサＣ４の一端が接続され、当該コンデンサＣ４の他端は、直流電源Ｅの負極に接続されている。コンデンサＣ４は、リアクトルＬの出力電流を平滑化してリプルを低減する出力平滑コンデンサとして機能する。当該コンデンサＣ４の両端電圧（ＶＨ）が、降圧後の電圧である。
【０１０７】
スイッチング素子Ｓ２は、そのゲート電圧が周期的にＯＮ／ＯＦＦ制御される。降圧コンバータ４０が車両１に搭載される場合には、ＥＣＵ２０から当該ＯＮ／ＯＦＦ制御が可能である。スイッチング素子Ｓ２がＯＮである期間、直流電源Ｅの出力電流は、スイッチング素子Ｓ２及びリアクトルＬを流れて、リアクトルＬに電気エネルギーが蓄積される。スイッチング素子Ｓ２がＯＦＦされると、ダイオードＤ３及びリアクトルＬを経由して電流が流れて、リアクトルＬに蓄積された電気エネルギーが出力側に解放される。デューティ（スイッチング素子Ｓ２のＯＦＦ期間）を調整することで、必要な降圧電圧ＶＬを得ることができる。
【０１０８】
このような降圧コンバータ４０において、例えば図１１中に示すように電流センサ１２１を設けることで、既述の昇圧コンバータ１２の場合と同様にして、リアクトル異常を検出することが可能である。
【０１０９】
ここで、降圧コンバータ４０でのリアクトル電流の振幅（基準値）は、以下の式（４）で求めることができる。
【数３】
2010279150.tif 000005
ただし、ＶＨは入力電圧（降圧前電圧）、ＶＬは出力電圧（降圧後電圧）、Ｄはデューティ、ｆはキャリア周波数、Ｌ０はリアクトルＬのインダクタンス値をそれぞれ表わす。電圧ＶＨ及びＶＬは、既知として固定値でもよいし、電圧センサによる実測値でもよい。デューティＤ及びキャリア周波数ｆは、それぞれＥＣＵ２０の指令値として既知の値とすることができ、インダクタンス値Ｌ０は既知の設計値である。
【０１１０】
ＥＣＵ２０は、式（４）により求められる振幅を、正常時のリアクトル電流（基準値）としてリアクトル異常判定に用いることができる。すなわち、Ｌ０が低下すると、実際のリアクトル電流の振幅が、式（４）で表わされる振幅よりも大きな値となるため、両者に一定以上の偏差がある場合に、リアクトル異常と判定することができる。逆に、Ｌ０の値が増加した場合は、実際のリアクトル電流の振幅が、式（４）で表わされる振幅よりも小さな値となるため、両者に一定以上の偏差がある場合に、リアクトル異常と判定することができる。
【０１１１】
また、降圧コンバータ４０においてリアクトル電流の変化レート（傾き）を基に異常検出する場合、リアクトル電流の傾きの基準は、以下の式（５）及び式（６）により与えることができる。
【数４】
2010279150.tif 000006
なお、式（５）はスイッチング素子Ｓ２がＯＮの期間の変化レートの基準値、式（６）はスイッチング素子Ｓ２がＯＦＦの期間の変化レートの基準値をそれぞれ表す。
【０１１２】
〔５〕その他
上述した実施形態は、車載のＤＣ−ＤＣコンバータに限らず、パーソナルコンピュータや、オーディオビジュアル（ＡＶ）機器、携帯端末等の電気機器に搭載されているＤＣ−ＤＣコンバータに適用することも可能である。
【符号の説明】
【０１１３】
１０  電源システム（燃料電池システム）
１２  昇圧コンバータ
１３  バッテリ
１４  バッテリ昇圧コンバータ
１５  インバータ
１６  モータ
２０  電子制御ユニット（ＥＣＵ）
２１  アクセルペダルセンサ
２２  ピークホールド回路
２３  ボトムホールド回路
３０Ａ〜３０Ｅ  検出回路
４０  降圧コンバータ
１２１  電流センサ（電流検出部）
２０１  リアクトル電流平均値検出部
２０２，２１２，２２２  差分検出部
２０３，２１３，２２３，２３３，２４３  比較・判定部
２１１，２３１，２４１  サンプリング処理部
２３２  リアクトル電流変化レート検出部
２４２  ボトムホールド処理部
Ｃ１〜Ｃ４  コンデンサ
Ｄ１〜Ｄ４  ダイオード
Ｅ  直流電源
Ｌ  リアクトル
Ｓ１，Ｓ２  スイッチング素子
ＳＷ  スイッチ回路
【図１】
2010279150.tif 000007
【図２】
2010279150.tif 000008
【図３】
2010279150.tif 000009
【図４】
2010279150.tif 000010
【図５】
2010279150.tif 000011
【図６】
2010279150.tif 000012
【図７】
2010279150.tif 000013
【図８】
2010279150.tif 000014
【図９】
2010279150.tif 000015
【図１０】
2010279150.tif 000016
【図１１】
2010279150.tif 000017